(57)【特許請求の範囲】
【請求項１】
皮膚トリートメント装置（１０）と共に使用するためのブラシ用具であって、前記ブラシ用具が、第１の種類の剛毛（５２）と、第２の種類の剛毛（５４）と、直径、材料、剛性、又は柔軟性のうちの少なくとも１つの特性が前記第１の種類の剛毛及び前記第２の種類の剛毛と異なる第３の種類の剛毛（５６）とを含み、前記第３の種類の剛毛（５６）が前記第２の種類の剛毛（５４）と同じ長さを有し、前記第１の種類の剛毛（５２）が前記第２の種類の剛毛（５４）よりも長くかつ前記ブラシ用具の外縁（５８）に接近して配置され、前記剛毛が少なくとも３つの識別可能な区画を形成し、前記ブラシ用具は端部分岐フィラメントによって形成された剛毛を含むことを特徴とするブラシ用具。
【請求項２】
それぞれの剛毛が複数のフィラメントから形成されることを特徴とする請求項１に記載のブラシ用具。
【請求項３】
前記区画が同じ構成の前記剛毛をそれぞれ有することを特徴とする請求項１又は請求項２に記載のブラシ用具。
【請求項４】
前記区画が個別の回転対称を有し、前記区画のそれぞれが対称軸線を中心に時計回り、又は反時計回りの方向に回転することによって本質的に別の区画にぴったり重なることができるようになっていることを特徴とする請求項１から請求項３のいずれか一項に記載のブラシ用具。
【請求項５】
それぞれの区画が凸状の輪郭に沿って配置された前記第１の種類の剛毛の列を有し、前記輪郭がブラシの中心から始まることを特徴とする請求項１から請求項４のいずれか一項に記載のブラシ用具。
【請求項６】
前記剛毛配置の外縁（５８）が１種類の剛毛である前記第１の種類の剛毛のみを含むことを特徴とする請求項１から請求項５のいずれか一項に記載のブラシ用具。
【請求項７】
前記第１の種類の剛毛及び／又は前記第２の種類の剛毛が円形断面を有することを特徴とする請求項１から請求項６のいずれか一項に記載のブラシ用具。
【請求項８】
前記第１の種類の剛毛が記第２の種類の剛毛よりも小さな直径を有することを特徴とする請求項１から請求項７のいずれか一項に記載のブラシ用具。
【請求項９】
前記第２の種類の剛毛及び／又は前記第３の種類の剛毛が端部分岐フィラメントによって形成されることを特徴とする請求項１から請求項８のいずれか一項に記載のブラシ用具。
【請求項１０】
前記第１の種類の剛毛が前記第２の種類の剛毛よりも相互に短い間隔で配置されることを特徴とする請求項１から請求項９のいずれか一項に記載のブラシ用具。
【請求項１１】
ブラシ本体（３４）を含み、このブラシ本体が前記皮膚トリートメント装置（１０）に連結するのに好適な連結手段を装備していることを特徴とする請求項１から請求項１０のいずれか一項に記載のブラシ用具。
【請求項１２】
駆動ユニット（２０）と請求項１から請求項１１のいずれか一項に記載のブラシ用具（３０）とを含む皮膚トリートメント装置。
【発明の詳細な説明】
【技術分野】
【０００１】
本発明は、専門家及び個人の使用のための皮膚トリートメント装置に関する。装置は、美容又は健康の恩恵を得るために用いられ、例えば、マッサージ用に、皮膚のクレンジング及びリフレッシュ用に、又は化粧用組成物を塗布するために用いることができる。特に、そのような皮膚トリートメント装置のための改善されたブラシ用具を提供することを対象とする。
【背景技術】
【０００２】
清潔で健康的な美しい皮膚と顔への関心を満たすため、幅広い種類の美容保湿剤及びその他の化粧剤が利用可能である。化粧品工業のこれらの提案に比べて、スキンケア器具及び装置の活用は多少限られてはいるが、その分野でもまた多くの努力がなされている。
【０００３】
米国特許第２，７１４，７８８号には、電動モータ、研磨パッド用ホルダ、及び研磨パッドを備えた体毛除去装置が開示されている。この装置は、例えば、脚などの体毛を摩擦によって皮膚から除去することを目的としている。
【０００４】
欧州特許第１  ４２９  ６７０  Ａ２号には、ハンドルと、ハンドルの近接端に配置されたブラシとを備えた超音波洗浄装置が開示されている。洗浄装置は、更に、ブラシに取り付けられた超音波振動器を含む。ハンドルの内部空間に配置された電池が超音波振動器に動力を供給する。超音波振動が振動器からブラシを経て伝達される。このようにして洗浄装置は皮膚の洗浄に使用することができる。
【０００５】
国際特許第２０１０／１００５２７  Ａ１号にはフェイスケアのための器具が開示されている。このフェイスケア器具は、管状体と、管状体から軸方向に延びる、いわゆるフェイスパックとを備えている。このフェイスパックは、軸周りを回転する顔面用具と、軸に連結されたサブアセンブリとを備えている。このサブアセンブリは、管状体から延びる軸の周りで回転するように取り付けられたスピナーを含む。スピナーは、対向して半径方向に延び、弾性的に付勢された解除フィンガを備える。解除フィンガはアプリケータ用具（例えば、顔面用具）を、スピナーとともに回転させるように、取り外し可能に装着される。スピナーはスリップ軸受によってメインギアに取り付けられている。
【先行技術文献】
【特許文献】
【０００６】
【特許文献１】米国特許第２，７１４，７８８号
【特許文献２】欧州特許第１  ４２９  ６７０  Ａ２号
【特許文献３】国際特許第２０１０／１００５２７  Ａ１号
【発明の概要】
【発明が解決しようとする課題】
【０００７】
本発明は、皮膚トリートメント装置のための改善された用具を提供することが目的である。更に、用途の広い皮膚トリートメント装置を提供することが目的である。本発明による皮膚トリートメント装置は、化粧用組成物の塗布において効率的であるべきである。これは、限られた電力の皮膚トリートメント装置で行われるべきである。
【課題を解決するための手段】
【０００８】
本発明は、専門家及び個人の使用のための皮膚トリートメント装置に関する。
【０００９】
本発明の態様によれば、皮膚トリートメント装置と共に使用するためのブラシ用具が提供され、ブラシ用具は第１の種類の剛毛、及び第２の種類の剛毛を含み、第１の種類の剛毛は第２の種類の剛毛よりも長くかつブラシ用具の外縁に接近して配置され、剛毛は少なくとも３つの識別可能な区画を形成する。
【図面の簡単な説明】
【００１０】
【図１】本開示による皮膚トリートメント装置の平面図を示す。
【図２】図１の皮膚トリートメント装置の側面図を示す。
【図３】本開示によるブラシ用具の部分的に切断された背面図を示す。
【図４】ブラシ用具の平面図を示す。
【図５】同じブラシ用具の側面図を示す。
【図６】ブラシ用具の部分的に切断された側面図を示す。
【図７】本開示によるブラシ用具に有用である、１つの種類のフィラメントの断面を示す。
【発明を実施するための形態】
【００１１】
本開示による皮膚トリートメント装置は駆動ユニット及びブラシ用具を含む。皮膚トリートメント装置は少なくとも１つがブラシ用具である２つ、３つ、又はそれ以上の用具と共に、キットとして提供されてもよい。一定の間、１つの用具を駆動ユニットと共に用いることができる。追加的に、又は代わりに、駆動ユニットはまた、２つ以上の用具を同時に作動するように適合されてもよい。しかしながら、一時に１つの用具を作動させることができる駆動ユニットが有用であることが判明している。したがって、ブラシ用具は駆動ユニットに取り外し可能に装着されてもよい。取り外し可能に装着され駆動ユニットから取り付け及び取り外し可能であるブラシ用具は、付属品とも呼ぶことができる。そのような付属品は、更に皮膚トリートメント要素のユニットを含むことができる。付属品はまた、ギアボックス、又は１つ以上の力伝達要素を含んでもよい。
【００１２】
駆動ユニットは手動又はモータにより作動できる。多くの場合、駆動ユニットは電動モータによって作動する。この電動モータは、電池によって、例えば、充電式電池によって作動することができる。作動中に電源と接続するケーブルが必要な駆動ユニットも有用である。
【００１３】
本開示は、特に、皮膚トリートメント装置と共に使用するブラシ用具に関する。ブラシ用具は、皮膚トリートメント装置と一体化しているか、皮膚トリートメント装置から取り外し可能であるかのどちらかであり得る。取り外し可能なブラシ用具は、例えば、皮膚トリートメント装置の付属品の形式、特にその駆動ユニットの付属品の形式をとることができる。基本構成部品として、ブラシ用具は、ブラシ本体に装着されたブラシを含むことができる。皮膚トリートメント装置は、使用者の体の外側の皮膚を処置するための装置である。
【００１４】
そのような装置を、２つ、３つ、又はそれ以上の異なる種類の剛毛と共に装備することが有用であることが判明している（以下で、「第１の種類の剛毛」及び、「第１の剛毛」等は、互換的に用いられ、同時に用語「剛毛」は、任意の種類の剛毛を意味するものとする）。剛毛は、少なくとも１つの関連性のある物理的性質において異なる場合、異なる種類に属することとして理解される。そのような性質は、剛毛の長さ、直径、剛毛の材料、少なくとも材料の色に関して、剛毛の剛性、柔軟性等であってもよい。異なる種類の剛毛を異なる長さで提供することが有用であることが判明している。用語「長さ」は、剛毛が皮膚トリートメント装置の位置に対して皮膚に接触するとき画定される有効な長さとして、又は言いかえれば、剛毛の長さは、剛毛が装着される装着表面と剛毛の自由端との間の距離であると、理解されるべきである。
【００１５】
剛毛を異なる区画に配置させることが、有用であることが判明している。ブラシ用具のそれぞれの区画は２つ、３つ、又はそれ以上の異なる種類の剛毛を含むことができる。ブラシ用具は対称的な配置で３つ、４つ、又はそれ以上の区画を含むことが有用であることが判明している。例えば、区画は、回転対称を有してもよい（すなわち、１つの区画は、区画を対称軸線を中心に回転させることによって本質的に別の区画にぴったり重なることができる、例えば、３つの区画の場合には、それぞれの区画は対称軸線に沿って１２０度の回転、４つの区画の場合には、９０度の回転によって、本質的に、別の区画にぴったり重なることができる等）。したがって、それぞれの区画は剛毛の同じ配置を有することは有用である。
【００１６】
ブラシの外縁を画定する剛毛である最外側の剛毛が１つの種類であることは有用であることが判明している。第１の種類の剛毛はブラシの外縁を形成してもよい。第１の種類の剛毛は第２の種類の剛毛より大きな長さを有してもよい。いくつかの実施形態では第１の種類の剛毛及び／又は第２の種類の剛毛は円形断面を有してもよい。いくつかの実施形態では第１の種類の剛毛は第２の種類の剛毛よりも小さな直径を有してもよい。いくつかの実施形態では第１の種類の剛毛は第２の種類の剛毛よりも相互に短い間隔で配置されてもよい。
【００１７】
ブラシ用具の脱連結機構を提供する皮膚トリートメント装置を提供することが有用であることが判明している。そのような脱連結機構は１つのブラシ用具を別のブラシ用具に取り替えることを可能にする。したがって、脱連結機構はブラシ用具を取り外し可能にする。しかしながら、更により有用な機構が、ブラシ用具を駆動ユニットの駆動力から脱連結することを可能にする。これを達成するために、駆動ユニットの駆動軸からの脱連結（直接又は間接に）は、有用である。これは、駆動ユニット及び／又は使用者の皮膚へのどちらかに力がかかりすぎるのを避けることができる。
【００１８】
端部分岐フィラメントを備えたブラシ用具を提供することは有用である。そのようなフィラメントは、単一の幹でいくつかの端部、例えば、３つ又は４つの端部を有することができる。そのようなフィラメントは例えば、第２の種類の剛毛、又は第３の種類の剛毛を形成するために用いることができる。
【００１９】
ブラシ用具はまた回転支持要素を含むことができる。回転支持要素は多様な有効な形態をとることができ、皮膚トリートメント要素へ回転を付与するために駆動ユニットに連結しなければならない。回転支持要素は例えば、皮膚トリートメント要素を支持することができる回転軸に垂直な平面を有することができる。回転支持要素は更にいくつかの突起部を有することができる。突起部は多くの適切な形状を有してもよく、例えば丸形状又は角形状であってもよく、例えばノーズ又はピラミッドなどの形状であってもよい。三角形の断面の突起が有用であることが判明している。それぞれの突起部は皮膚トリートメント要素と回転支持要素との機械的な連結に用いることができる。この目的のために、皮膚トリートメント要素は、数多くの凹部を含むことができる。これら凹部は、回転支持要素の突起部と協働することができる。この目的のために、凹部形状が突起を受け入れるように最適化されることが有効である。したがって、凹部はまた、本質的に丸形状又は角形状であり得る。例えば、三角形の断面の凹部は、三角形の断面の突起を受け入れるのに有効である。凹部は歯付きリングの一部として形成してもよい。回転支持要素の凹部が、回転支持要素の回転軸に対向していることが有効である。
【００２０】
突起はラッチ形状として提供されてもよい。突起はバネ仕掛けのピンと共に提供されることが有用である。バネの付勢力と、突起部及び凹部の形状とが、係合解除位置となる外力に応じた力閾値を設定する。したがって、所与の装置及び予想される使用条件に対して、この閾値を容易に選定することができる。
【００２１】
特定の機械設定とは無関係に、突起部は凹部との係合位置をとることができ、本体が回転支持要素に支持されている間に、凹部との係合解除位置をとることが可能であることが有益である。
【００２２】
回転運動を誘起するために、係合位置において本体に力が伝達されてもよい。突起部と凹部との協働は、低振動及び低騒音操作が達成されるように行われる。
【００２３】
係合解除位置では、このような力は全く、又は本質的に全く伝達されない。したがって、本体は、係合解除位置で回転軸の周りを自由に動くことができるが、引き続き回転支持要素に支持され、したがってその位置に保持される。したがって、係合解除位置では、想定される係合解除位置に必要とされる力より大きな力が本体にかかっても、駆動ユニットの機械部品又はギアボックスが損傷することはない。
【００２４】
図１は、本開示による必須要素を備えた皮膚トリートメント装置１０を示す。装置１０は、駆動ユニット２０を含む。駆動ユニットは、典型的には回転運動又は振動運動を出力装置に提供するモータを含むことができる。モータは、典型的には、電池で、好ましくは充電式電池で作動可能な電気モータであるであろう。駆動ユニット２０は、ユニットをオンオフする、及び／又は、作動モードの他の選択をするためのスイッチ２２を含むであろう。
【００２５】
付属品３０（本図では、ブラシ用具が示される）は、駆動ユニット２０に接続することができる。多様な適切な連結手段が良く知られているが、多くの場合、ポジティブ嵌合が有用である。他の付属品も駆動ユニットに連結することができ、例えば、付属品３０は第１の付属品の役目を果たし、更に別の付属品が第２の付属品の役目を果たすことができ、これらも同一の駆動ユニット２０に連結できる。示されたように、付属品３０はブラシ３２を備える。本明細書ではブラシという用語を広い意味で使い、他の分野で知られているように、多様な材料からなる従来の毛材を備えることができる用具を指す。ブラシはゴム製の用具を備えても良く、これらは剛毛形状でもよいし、又は棒又は紐形状でもよい。ブラシ３２は一般的に外形は円形であるが、別の形状でもよい。
【００２６】
図２は同じ装置１０の側面図を示す。側面図から、駆動ユニット２０の主軸とブラシ３２の回転軸とが、互いの方に傾けられていることが明白である。約１１０°の角度が有効であることが判明している。９０°から１３５°及び１００°から１２０°の範囲の角度が、一般的に操作に都合がよく効率的であることが判明している。この側面図では、付属品３０はギアボックス３６を含み、その上にブラシ３２がブラシ本体３４と共に装着されているのがはっきり分かる。ギアボックス３６は、回転支持要素３８によってブラシ本体３４と結合されるが、この図では、ブラシ本体３４をギアボックス３４に接続するリング状の構造体としてのみ見ることができる。
【００２７】
図３は、ブラシ本体３４及び用具の回転支持体を提供する要素の一部切断拡大図を提供するが、本図ではブラシ用具の形式で表わされるので、ブラシ本体３４を含む。回転力は、駆動軸４０によって供給される。駆動軸４０は支持板４２に機械的に連結され、それによって支持される。支持板４２は３つのラッチ４４を含む。
【００２８】
ラッチ４４は駆動軸４０と逆の方向を向いている尖頭部を備えて提供される。それぞれの尖頭部を備えたラッチ４４は本体３４の歯付きのリング４８の三角形凹部４６と係合する。代表的な歯４７Ａ及び凹部４６を画定する歯４７Ｂが示される。
【００２９】
ラッチ４４及び凹部の多くの選択可能な位置で係合が可能であることが図から明白である。したがって、本体３４は様々な角度の位置で回転支持要素３８と係合することができる。本発明によれば、これらの位置の角度オフセットは４５°以下、好ましくは３０°以下、又は２０°、又は１０°又は５°以下である。このようにして、ブラシは多くの隣接位置で駆動要素に取り付けられることができ、そのため装着は直感的かつ簡便である。
【００３０】
したがって、高い接線力が用いられるとき、本体３４と回転支持要素３８との間のフィット性が持続されることができる。しかしながら、バネ仕掛けのラッチが、それぞれの凹部から係合を解除するにつれて、係合解除位置がとられる。加えられた接線力が小さくなり、ラッチ４４を凹部から押し出すには不十分になると、ラッチは近隣の凹部４６のうちの１つと係合することができる。
【００３１】
図４は、本開示によるブラシ用具５０の平面図を示す。ブラシ用具５０は本体３４に支持されたブラシ３２を含む。ブラシ用具５０はこの平面図に見られる使用表面を含む。このブラシ３２は異なる種類の剛毛５２、５４、５６を有する。第１の剛毛５２はブラシの外周に配置される。したがって、ブラシは本図では第１の剛毛５２によって提供される、剛毛の別個の外列を含む。
【００３２】
第１の剛毛５２は、剛毛の外列を提供するだけでなく、更に、ブラシ３２に特定の外縁を提供している。
【００３３】
ブラシヘッド５０は３つの区画に配置された剛毛を含む。それぞれの区画は第１の種類の剛毛５２、第２の種類の剛毛５４、及び、第３の種類の剛毛５６を含む。ブラシは３回回転対称を有する。前述のように、各区画及びそのそれぞれの剛毛配置はブラシの中心から始まる対称軸線を中心に時計回り、又は反時計回りの方向に１２０度回転することによって本質的に別の区画、及びそのそれぞれの剛毛配置にぴったり重なることができる。各区画の第１の剛毛５２は、半円に類似した凸状の輪郭に配置される。輪郭はまたブッシェル形状を表わしていると表現することができる。これらの３つの第１の剛毛のそれぞれのブッシェル輪郭は、ブラシの中心から始まるが、ブラシの中心には剛毛は存在しない。第１の剛毛５２によって形成された３つのブッシェルの中に、更なる剛毛が配置される。第２の剛毛５４は第１の剛毛５２の列と本質的に平行である列を描く（したがって、各区画の第２の剛毛５４も、曲線に沿って配置され、第１の剛毛５２によって形成されたそれぞれのブッシェル輪郭の内側にブッシェル状の輪郭の形成する）。３つのブッシェルのそれぞれの内側の領域は第３の剛毛５６で満たされる。第１の種類の剛毛が互いにかなり接近して配置されるように、第１の剛毛５２はここで、第２及び第３の剛毛５４、５６より、互いに短い間隔で配置される。短距離は、本質的に使用中のブラシの内部分を密閉し、その結果、例えばシャワー下でブラシを使用中に（すなわち、ブラシが皮膚に押しつけられるとき）、水が容易にブラシに浸透することができず、したがってブラシが水洗いされることが低減され、ブラシの上に塗布された（化粧品）組成物がより長い期間保持されることができる。
【００３４】
図４に示されるように、第１の種類の剛毛５２、及び第２の種類の剛毛５４（更に、任意に、第３の種類の剛毛）は本質的に、円形断面を有してもよく、したがって第１の種類の剛毛の直径は、第２の種類の剛毛の直径よりも小さくてもよい（更に、任意に第３の種類の剛毛の直径よりも小さい）。実施形態で示されるように第２の種類の剛毛の直径と第３の種類の剛毛の直径とは本質的に同じであってもよい。第１の種類の剛毛の直径は約１．２５ｍｍであってもよく、一方で、第２の種類（更に、任意に、第３の種類）の剛毛の直径は、約１．８ｍｍであってもよい（特に、ブラシの表面のレベルで測定されたとき）。
【００３５】
図５はブラシの側面図を示す。本図でもブラシ３２は、本体３４に支持される。ブラシヘッドは、多くの剛毛を含むことができる。ブラシヘッドの外縁５８は、１つの種類のみの剛毛によって画定され、示される実施形態では、これらは第１の剛毛５２である。したがって、これらの第１の剛毛５２は、使用表面５２の外段５１を画定する。したがって、第１の剛毛５２の長さは、ブラシ用具が使用者の皮膚と最初に接触する箇所を画定する。したがって、ブラシヘッド５０の相対的に複雑な構造は、側面図からそれほど複雑には見えない。これは、皮膚トリートメント装置の形状の美容装置にとって高価値がある審美的な利点である。
【００３６】
図６は、図４及び５に示される同じ用具の部分的に切断された側面図を示す。本体３４は歯付きのリングを含む。歯付きのリングもまた、駆動ユニットへの安全かつ力を制限する取り付けを提供する。この一部切断図では、ブラシは異なる長さの剛毛を含むことが明白である。第１の剛毛５２は第２の剛毛５４及び第３の剛毛５６より長い。第２の剛毛５４及び第３の剛毛５６は、同じ長さであるように選択される。
【００３７】
上述のように、異なる種類の剛毛はまた、様々な異なる長さであるように選択されることができる。例えば、ここでは、第１の剛毛５２は、第２の剛毛５４よりも長くかつ第２の剛毛も第３の剛毛５６よりも長くなるように選択されることができる。示される実施形態では、第２の剛毛及び第３の剛毛は、同じ長さを有する。
【００３８】
より長い第１の剛毛５２は、ブラシの外縁を画定し、更に、示された実施形態の３つの区画を互いに分離する。その結果、示されたブラシで塗布され得る（化粧品）組成物（ゲル又はクリーム等）を、短距離で配置されたより長い外側の第１の剛毛５２によって、ブラシの内側に保持する（すなわち、より長い剛毛は、そのような組成物が外部に押し出されることを阻止する）一方で、更に、それぞれの区画の内部に保持する。
【００３９】
図７は、剛毛の提供に有用であるフィラメントを貫通する横断面図を示す。断面は、フィラメントの主軸に垂直である。断面は、３回対称である。ある意味では、フィラメントは、３本のフィラメントが結合したものとして（又は、一緒に溶かされ得る工程として）理解することができる。製造工程で、特に、フィラメントがブラシの本体に取り付けられた後、フィラメント端部は、更に処理されることができる。例えば、機械的衝撃、例えば、鈍鋭なナイフでフィラメントの異なるセグメントを分離させる（いわゆる、端末はがれ）ことを達成することができる。その結果、単一軸、及び頂部で３本のミクロフィラメントを含む剛毛が得られる。端部分岐フィラメントは、約８．０ｍｍ〜９．０ｍｍの長さを有してもよく、端末はがれの長さは、約２．０ｍｍ〜３．０ｍｍの範囲であってもよい。
【００４０】
一般に、それぞれの剛毛は複数の高密度に配置されたフィラメントによって形成されてもよく、剛毛当たりのフィラメント数は、約１０〜２００本のフィラメントの範囲で置かれてもよい。フィラメントはポリアミド（例えば、ＰＡ  ６．１２）から作られてもよく、それぞれのフィラメントは約０．１２７ｍｍ（約５ミル）〜約０．１５１４ｍｍ（約６ミル）の範囲で直径を有してもよい。端部分岐フィラメントのそれぞれの端部の直径は、次に、約０．０５０８ｍｍ（２ミル）であってもよい。端部分岐フィラメントは（化粧品）組成物が付着することができるより高い表面積を提供し、したがって組成物を保持し、皮膚に塗布する（特に：均質な塗布）のに有用である。
【００４１】
あるいは、剛毛のいくらか又は全部の代わりに、リガメントを用いることもできる。リガメントは典型的な剛毛より大きい体積を備えた要素である。
【００４２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【図１】
0005985753.tif 000002
【図２】
0005985753.tif 000003
【図３】
0005985753.tif 000004
【図４】
0005985753.tif 000005
【図５】
0005985753.tif 000006
【図６】
0005985753.tif 000007
【図７】
0005985753.tif 000008